【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
現場に配置され、８０２．１１ベースのネットワークを開始して、モバイル装置と通信することが可能な通信装置を含むコントローラを備え、
前記コントローラは、
前記モバイル装置による前記８０２．１１ベースのネットワークへの８０２．１１ベースの接続の確立または損失を検出し、
前記モバイル装置が前記８０２．１１ベースの接続を確立したことの検出に応答して、前記現場での動作状況を変更し、
前記モバイル装置が前記８０２．１１ベースの接続を失ったことの検出に応答して、前記現場での動作状況を変更する
ように構成される、システム。
【請求項２】
前記コントローラが、前記現場から離れて配置される前記モバイル装置またはサーバのうちの一方から制御設定を受信して、前記動作状況を変更するように構成されることをさらに含む、請求項１に記載のシステム。
【請求項３】
前記サーバはクラウドサーバとして構成される、請求項２に記載のシステム。
【請求項４】
前記コントローラが、前記モバイル装置が前記８０２．１１ベースの接続を確立したことの検出に応答して、前記現場に関連付けられた第１のスケジューリングをイネーブルするように構成されることをさらに含む、請求項１に記載のシステム。
【請求項５】
前記コントローラが、前記モバイル装置が前記８０２．１１ベースの接続を失ったことの検出に応答して、前記現場に関連付けられた第２のスケジューリングをイネーブルするように構成されることをさらに含む、請求項４に記載のシステム。
【請求項６】
前記第１のスケジューリングはホーム設定を含み、前記第２のスケジューリングはアウェイ設定を含む、請求項５に記載のシステム。
【請求項７】
前記コントローラが、前記８０２．１１ベースのネットワークではない第２のネットワークから、前記動作状況を変更する制御設定を受信するように構成されることをさらに含む、請求項１に記載のシステム。
【請求項８】
前記第２のネットワークは、加入者ベースの無線データ通信ネットワークであり、前記コントローラは、前記加入者ベースの無線データ通信ネットワークと通信するモバイルアプリケーションから前記制御設定を受信するようにさらに構成される、請求項７に記載のシステム。
【請求項９】
前記コントローラが、前記動作状況を制御する近接モードを含み、
前記コントローラが、
前記モバイル装置が前記８０２．１１ベースの接続を失ったことの検出に応答して、アウェイモードをイネーブルし、
前記モバイル装置が前記８０２．１１ベースの接続を確立したことの検出に応答して、前記アウェイモードをディセーブルする
ように構成されることをさらに含む、請求項１に記載のシステム。
【請求項１０】
前記コントローラが、前記モバイル装置が前記現場から離れて配置されていることに応答して、前記８０２．１１ベースのネットワークではない第２のネットワークを使用して、前記アウェイモード中に制御設定を受信して、前記動作状況を変更するように構成されることをさらに含む、請求項９に記載のシステム。
【請求項１１】
前記コントローラが、前記現場の動作状況を、ユーザがブラウザを使用してアクセスできるようにすることに動作可能に関連付けられたサーバに通信するように構成されることをさらに含む、請求項１に記載のシステム。
【請求項１２】
前記コントローラが、前記第２のスケジューリングに動作可能にリンクされた第２のモバイル装置と通信するように構成され、
前記コントローラが、前記第２のモバイル装置が前記８０２．１１ベースの接続を確立したことの検出に応答して、前記第２のスケジューリングの使用をイネーブルするように構成され、
前記コントローラが、前記第２のモバイル装置が前記８０２．１１ベースの接続を失ったことの検出に応答して、前記第２のスケジューリングの使用をディセーブルするように構成されることをさらに含む、請求項５に記載のシステム。
【請求項１３】
第１のモバイル装置に動作可能に関連付けられた第１のユーザスケジューリングと、
第２のモバイル装置に動作可能に関連付けられた第２のユーザスケジューリングと、
をさらに備え、
前記コントローラは、
前記第１のモバイル装置および前記第２のモバイル装置が、前記８０２．１１ベースのネットワークへの８０２．１１ベースの接続を確立したか、または失ったことを検出し、
前記第１および第２のモバイル装置の前記８０２．１１ベースの接続の状態に基づいて、前記動作状況を変更するか否かを判断する
ように構成される、請求項１に記載のシステム。
【請求項１４】
前記コントローラが、前記第２のモバイル装置が８０２．１１ベースの接続を確立していない状況で、前記第１のモバイル装置が８０２．１１ベースの接続を確立したことの検出に応答して、前記第１のユーザスケジューリングをイネーブルするように構成され、
前記コントローラが、前記第１のモバイル装置が前記８０２．１１ベースの接続を失い、前記第２のモバイル装置が前記８０２．１１ベースの接続を確立し維持していることの検出に応答して、前記第２のユーザスケジューリングをイネーブルするように構成されることをさらに含む、請求項１３に記載のシステム。
【請求項１５】
前記コントローラは、パーソナルコンピュータ、ＰＤＡ、消費者電子装置、メディア装置、スマートフォン、セルラもしくは携帯電話、スマートユーティリティメータ、高度計量基盤、スマートエネルギー装置、エネルギー表示装置、ホームオートメーションコントローラ、エネルギーハブ、スマートエネルギーゲートウェイ、セットトップボックス、デジタルメディア加入者システム、ケーブルモデム、光ファイバ対応通信装置、メディアゲートウェイ、ホームメディア管理システム、ネットワークサーバもしくは記憶装置、エネルギーサブステーション、車両充電ステーション、再生可能エネルギー生産装置、再生可能エネルギー制御装置、エネルギー貯蔵管理システム、スマート家電、ＨＶＡＣシステム、送水ポンプ、熱ポンプ、給湯器、サーモスタット、エネルギーコントローラ、灌漑システム、照明システム、警報システム、スマート電力コンセント、エネルギー検出装置、電力測定装置、電力測定ユニット（ＰＭＵ）、エアハンドラ、無線空気制振器、湿度制御システム、熱・移動感知装置、スマート電力コンセント、スイッチルータ、および無線ルータのうちの１つまたは複数を変更するように構成される、請求項１に記載のシステム。
【手続補正２】
【補正対象書類名】明細書
【補正対象項目名】０００９
【補正方法】変更
【補正の内容】
【０００９】
後述される実施形態では、部分的に、ネットワーク要素間の通信対話の全てまたは部分を管理する分散計算解決策を説明する。この文脈の中では、通信対話は、情報の送信を意図すること、情報の送信、情報の要求、情報の受信、情報要求の受信、またはこれらの任意の組み合わせであり得る。したがって、通信対話は、単方向、双方向、多方向、またはこれらの任意の組み合わせであることができる。いくつかの状況では、通信対話は、比較的複雑であり、２つ以上のネットワーク要素を含むことができる。例えば、通信対話は、クライアントとサーバとの間での「会話」または一連の関連する通信であることができ、各ネットワーク要素が、情報を互いに送受信する。ネットワーク要素間の通信対話は、必ずしも１つのみの特定の形態に限定されるわけではない。ネットワーク要素は、ノード、１つのハードウェア、ソフトウェア、ファームウェア、ミドルウェア、計算システムの別の構成要素、またはこれらの任意の組み合わせであり得る。
【手続補正３】
【補正対象書類名】明細書
【補正対象項目名】００１０
【補正方法】変更
【補正の内容】
【００１０】
本開示では、エネルギー管理システム、ネットワーク装置、またはこれらの任意の組み合わせは、ビジネス、科学、制御、娯楽、または他の目的で、任意の形態の情報、インテリジェンス、またはデータの計算、分類、処理、送信、受信、検索、発生、切り替え、記憶、表示、表明、検出、記録、再生成、取扱、または利用を行うように動作可能な任意の手段または手段の集まりを含むことができる。例えば、エネルギー管理システム、ネットワーク装置、またはこれらの任意の組み合わせは、パーソナルコンピュータ、ＰＤＡ、消費者電子装置、メディア装置、スマートフォン、セルラもしくは携帯電話、スマートユーティリティメータ、高度計量基盤、スマートエネルギー装置、エネルギー表示装置、ホームオートメーションコントローラ、エネルギーハブ、スマートエネルギーゲートウェイ、セットトップボックス、デジタルメディア加入者システム、ケーブルモデム、光ファイバ対応通信装置、メディアゲートウェイ、ホームメディア管理システム、ネットワークサーバもしくは記憶装置、エネルギーサブステーション、車両充電ステーション、再生可能エネルギー生産装置、再生可能エネルギー制御装置、エネルギー貯蔵管理システム、スマート家電、ＨＶＡＣシステム、送水ポンプ、熱ポンプ、給湯器、サーモスタット、エネルギーコントローラ、灌漑システム、照明システム、警報システム、エネルギー検出装置、電力測定装置、電力測定ユニット（ＰＭＵ）、エアハンドラ、無線空気制振器、湿度制御システム、熱・移動感知装置、スマート電力コンセント、スイッチルータ、無線ルータ、他のネットワーク通信装置、または他の任意の適した装置もしくはシステムの任意の組み合わせを含むことができ、サイズ、形状、性能、機能、および価格は様々であることができる。
【手続補正４】
【補正対象書類名】明細書
【補正対象項目名】００１２
【補正方法】変更
【補正の内容】
【００１２】
本明細書において使用される場合、無線エネルギーネットワークは、関連付けられたプロトコルまたは拡張を含め、現場でエネルギーを管理するように構成可能な様々な種類および変形の無線通信を含むことができ、ＩＥＥＥ８０２．１５に基づく無線通信、Ｚｉｇｂｅｅ通信、ＩＮＳＥＴＥＯＮ通信、Ｘ１０通信プロトコル、Ｚ−Ｗａｖｅ通信、Ｂｌｕｅｔｏｏｔｈ通信、ＷＩＦＩ通信、ＩＥＥＥ８０２．１１に基づく通信、ＷｉＭＡＸ通信、ＩＥＥＥ８０２．１６に基づく通信、様々なプロプライエタリ無線通信の任意の組み合わせまたは部分を含むが、これらに限定されない。
【手続補正５】
【補正対象書類名】明細書
【補正対象項目名】００１５
【補正方法】変更
【補正の内容】
【００１５】
「ａ」または「ａｎ」の使用も、本明細書において説明される要素および構成要素を説明するために利用される。これは、便宜上行われるにすぎず、本発明の範囲の一般的な意味を与えるために行われる。この説明は、１つを含む、または少なくとも１つを含むものとして読まれるべきではなく、別段のことが意味されることが明らかな場合を除き、単数形は複数形も含み、または逆も同様である。例えば、１つの装置が本明細書において説明される場合、２つ以上の装置を、１つの装置に代えて使用することができる。同様に、２つ以上の装置が本明細書において説明される場合、１つの装置で２つ以上の装置を置換することができる。
【手続補正６】
【補正対象書類名】明細書
【補正対象項目名】００２１
【補正方法】変更
【補正の内容】
【００２１】
さらなる態様によれば、第２の現場１０８は、仮想容量発電（ＶＣＧ）資産１１４を含むことができる。ＶＣＧ１１４は、様々な期間中、エネルギー伝送システム１０４に対して課されたエネルギー消費または負荷を低減するように構成されたエネルギー消費装置を含むことができる。例えば、ＶＣＧ資産１１４は、商業施設、産業施設等に配置された機器を含むことができる。別の態様によれば、第２の現場１０８は、エネルギー消費を低減するように管理することができるエネルギー消費装置を有する小売店センターを含むことができる。他の形態では、第２の現場１０８は、ＨＶＡＣシステム、熱ポンプ、給湯器、照明システム、娯楽システム、冷蔵庫、または任意の種類の電気消費装置もしくはシステム、またはこれらの任意の組み合わせ等のエネルギー消費装置を含むＶＣＧ資産を有する住宅現場を含むことができる。さらなる態様によれば、第３の現場１１０は、ＤＥＧ資産１１６およびＶＣＧ資産１１４等の資産の組み合わせを含むことができる。
【手続補正７】
【補正対象書類名】明細書
【補正対象項目名】００４４
【補正方法】変更
【補正の内容】
【００４４】
態様によれば、エネルギー管理システム２００は、ＴＳＴＡＴ２０８、スマート家電２１２、または家もしくは住宅等の住宅現場に設置された他の様々なネットワーク装置等の１つまたは複数のネットワーク装置を含むことができる。コントローラ２１６は、現場２０２におけるネットワーク装置と通信可能な無線エネルギーネットワーク２４２を確立することができる。エネルギー管理システム２００は、現場２０２から離れて配置され、ネットワーク装置を制御するための制御動作リポートを生成可能なサーバ２０４を含むこともできる。コントローラ２１６は、住宅現場を含め、現場２０２に配置することもできる。コントローラ２０２は、サーバ２０４と通信することができる。態様によれば、コントローラ２０２は、ネットワーク装置の複数の動作状態要求をの開始を確立し、動作状態要求のうちの少なくとも１つに応答して、装置データを受信することができる。コントローラ２０２はさらに、装置データを含む現場リポートを生成し、サーバ２０４への現場リポートの通信を開始することができる。コントローラ２０２からサーバ２０４への現場リポートの通信中、コントローラ２０２は、現場リポートの通信と併せて、サーバ２０２での制御動作リポートの利用可能性を検出することができる。したがって、サーバ２０４が現場２０２との通信を開始する必要なく、セキュア接続を現場２０２から開始して、現場リポートを通信し、制御動作リポートを受信することができる。
【手続補正８】
【補正対象書類名】明細書
【補正対象項目名】００６０
【補正方法】変更
【補正の内容】
【００６０】
別の態様によれば、コントローラ２１６には、ＡＭＩ無線ネットワーク２４８に参加できるようにする通信インタフェース（図２には明示的に示されず）を構成することができる。このようにして、コントローラ２１６は、ＡＭＩ無線ネットワーク２４８へのアクセスを取得して、ＡＭＩデータを受信することができる。さらなる態様では、コントローラ２１６は、ＡＭＩデータを使用して、現場２０２でのネットワーク装置の動作状況を変更し、ネットワーク装置のディスプレイを使用してＡＭＩデータを出力すること、ＡＭＩデータをサーバ２０４に通信すること、またはこれらの任意の組み合わせをすることができる。さらなる態様によれば、コントローラ２１６は、現場リポートデータと共にＡＭＩデータを、現場リポートとしてサーバ２０４に通信することができる。ＡＭＩデータおよび現場リポートデータは、サーバ２０４において使用することができる。
【手続補正９】
【補正対象書類名】明細書
【補正対象項目名】００６２
【補正方法】変更
【補正の内容】
【００６２】
さらなる態様によれば、ユーザプロファイルまたは現場プロファイルを使用して、ＡＭＩ無線ネットワーク２４８により開始または受信された制御動作を使用できるようにすることができる。例えば、現場管理者またはユーザは、公益企業による住宅でのネットワーク装置の動作状況の変更をイネーブルまたはディセーブルするプロファイル設定を確立することができる。したがって、コントローラ２１６は、ＡＭＩ無線ネットワーク２４８に接続する前にプロファイル設定にアクセスすること、ＡＭＩ無線ネットワーク２４８を使用して受信した制御動作を使用すること、またはこれらの任意の組み合わせをすることができる。他の形態では、コントローラ２１６は、サーバ２０４にアクセスして、プロファイル設定を検出することができる。
【手続補正１０】
【補正対象書類名】明細書
【補正対象項目名】００６３
【補正方法】変更
【補正の内容】
【００６３】
別の態様によれば、エネルギー管理システム２００は、ＺｉｇｂｅｅネットワークおよびＷＩＦＩネットワークを使用して通信するように構成されたコントローラ２１６を含むこともできる。例えば、コントローラ２１６は、住宅現場を含む現場２０２において無線エネルギーネットワーク２４２を開始可能なＺｉｇＢｅｅ対応通信装置（図２に明示的に示されず）を含むことができる。コントローラ２１６は、ＷＩＦＩ対応であり得るモバイル装置２１０または他のＷＩＦＩ対応装置、システム、もしくはこれらの任意の組み合わ
せに結合するように動作可能なＷＩＦＩネットワーク２４４を開始可能なＷＩＦＩ対応通信装置（図２に明示的に示されず）を含むこともできる。
【手続補正１１】
【補正対象書類名】明細書
【補正対象項目名】００６４
【補正方法】変更
【補正の内容】
【００６４】
さらなる態様によれば、ＷＩＦＩネットワーク２４４を使用するコントローラ２１６を使用して、モバイル装置によるＷＩＦＩネットワーク２４４へのＷＩＦＩ接続の確立または損失の検出に応答して、現場２０２での動作状況を変更することができる。例えば、モバイル装置２１０のＷＩＦＩ接続を検出できる場合、ユーザスケジュールをイネーブルすることができ、無線エネルギーネットワーク２４２に接続された１つまたは複数のネットワーク装置の動作状況を変更することができる。モバイル装置２１０が現場２０２を去る場合、ＷＩＦＩネットワーク２４４へのモバイル装置２１０のＷＩＦＩ接続が失われたことの検出を受けて、１つまたは複数のネットワーク装置の動作状況を変更することができる。
【手続補正１２】
【補正対象書類名】明細書
【補正対象項目名】００６５
【補正方法】変更
【補正の内容】
【００６５】
態様によれば、モバイル装置２１０は、コントローラ２１６と通信して、現場データ、現場リポート、制御動作データ、ＡＭＩデータ、またはＷＩＦＩネットワーク２４４を使用して利用可能な他の様々な種類のＥＭＩデータにアクセスすることができる。態様によれば、モバイル装置２１０は、無線エネルギーネットワーク２４２に結合されたネットワーク装置の動作状況を変更し得る制御動作、制御動作リポート、またはこれらの組み合わせを開始することができる。
別の態様によれば、ＷＩＦＩ通信装置が構成されたコントローラ２１６は、ホームコンピュータシステム、ラップトップコンピュータ、ネットブック、ホームサーバ、ＩＰＡＤ（登録商標）、ホームオートメーションシステム、ルータ、または他のＷＩＦＩ対応システムもしくは装置（図２に明示的に示されず）、またはこれらの任意の組み合わせへの接続を可能にすることができる。例えば、ユーザは、ＩＰＡＤを使用してコントローラ２１６にアクセスすることができる。ＷＩＦＩネットワーク２４４および無線エネルギーネットワーク２４２を使用して、ユーザは、動作状況情報を受信し、ネットワーク装置の制御動作を開始し、エネルギーの使用をスケジューリングし、または他の様々なエネルギー管理行動をスケジューリングすることができる。いくつかの形態では、コントローラ２１６は、ネットワーク２０６へのアクセスを有さなくてもよい。コントローラ２１６は、エネルギーの使用をスケジューリングし、スケジューリングデータを生成し、現場データにアクセスし、制御動作データを生成し、またはこれらの任意の組み合わせを行なうためのサーバ２０４の能力のうちの部分または全てを含むことができる。したがって、いくつかの場合では、ネットワーク２０６を確立しなくてもよく（例えば、新しい建築現場等において）、またはネットワーク障害もしくはネットワークの可用性の欠如が発生する場合、ユーザは、現場２０２でネットワーク装置にアクセスし、エネルギーの使用を管理することができる。
【手続補正１３】
【補正対象書類名】明細書
【補正対象項目名】００６９
【補正方法】変更
【補正の内容】
【００６９】
さらなる態様によれば、コントローラ２１６は、ＷＩＦＩネットワーク、無線ＡＭＩネットワーク２４８、ネットワーク２０６、またはこれらの任意の組み合わせを使用して、ネットワーク装置のプロファイルデータ、プロファイル更新、ネットワーク装置更新、またはこれらの任意の組み合わせを要求するように構成することができる。例えば、コントローラ２１６は、現場２０２でのＺｉｇｂｅｅ対応ネットワーク装置を検出することができる。コントローラ２１６は、Ｚｉｇｂｅｅ対応ネットワーク装置の一意の識別子を識別し、ＷＩＦＩネットワーク２４４を使用してＺｉｇｂｅｅ対応ネットワーク装置のプロファイルを要求することができる。例えば、モバイル装置２１０は、情報ネットワーク２４０を使用してＺｉｇｂｅｅプロファイルを要求することができる。別の形態では、ホームコンピュータ、ラップトップコンピュータ、ＩＰＡＤ（登録商標）等が、ネットワーク２０６を使用してＺｉｇｂｅｅプロファイルを要求することができる。別の形態では、コントローラ２１６は、無線ＡＭＩネットワーク２４８にアクセスして、Ｚｉｇｂｅｅプロファイルを要求することができる。したがって、コントローラ２１６は、コントローラ２１６がアクセス可能な１つまたは複数のネットワークを使用してネットワーク装置のプロファイルデータ、プロファイル更新、ネットワーク装置更新、ネットワーク装置を管理するための他の様々な種類の情報、またはこれらの任意の組み合わせを要求するように構成することができる。
【手続補正１４】
【補正対象書類名】明細書
【補正対象項目名】００７３
【補正方法】変更
【補正の内容】
【００７３】
方法は一般に、ブロック３００において開始される。判断ブロック３０２において、方法は、エネルギーネットワークが確立されているか否かを検出する。例えば、無線エネルギーネットワークを確立することができ、無線エネルギーネットワークは、現場でのエネルギー使用を管理するために使用することができる１つまたは複数のネットワークを含むことができる。態様によれば、無線エネルギーネットワークは、住宅に配置された無線対応コントローラを使用して確立することができる。判断ブロック３０２において、エネルギーネットワーク、ＡＭＩ対応ネットワーク、ＷＩＦＩ対応ネットワーク、Ｚｉｇｂｅｅ対応ネットワーク、ＷｉＭＡＸネットワーク、または他の任意の種類のエネルギーネットワーク、またはこれらの任意の組み合わせを検出することができる。判断ブロック３０２において、１つまたは複数のネットワークを検出することができない場合、方法は判断ブロック３０４に進むことができる。判断ブロック３０４において、方法は、利用可能なＡＭＩネットワークがあるか否かを検出することができる。判断ブロック３０４において、利用可能なＡＭＩネットワークがある場合、方法はブロック３０６に進み、ＡＭＩネットワークに参加することができる。例えば、ＡＭＩネットワークは、通信を確立するため、またはネットワークに参加できるようにするために、特定のプロトコルおよびセキュリティレベルを含むことができる。例えば、ＡＭＩネットワークは、アクセスを可能にするために特定の鍵、証明書等を要求することができる暗号鍵に基づくセキュリティを要求し得る。別の態様によれば、ＡＭＩネットワークは、スマートグリッド規格に記載のスマートグリッドに基づくセキュリティを含み得る。したがって、ＡＭＩネットワークに参加する様々な組み合わせをデプロイすることができる。ＡＭＩネットワークに参加すると、方法は判断ブロック３０８に進むことができる。
【手続補正１５】
【補正対象書類名】明細書
【補正対象項目名】００７８
【補正方法】変更
【補正の内容】
【００７８】
さらなる態様によれば、ブロック３１６においてプロファイルを取得することは、現場でのＷＩＦＩネットワークに通信可能なモバイル装置がアクセス可能なコントローラおよび情報ネットワークを使用して、要求を開始することを含むことができる。例えば、プロファイルは、モバイル装置を３Ｇデータネットワーク、４Ｇデータネットワーク、または他の加入者に基づく無線情報ネットワーク等の無線情報ネットワークに接続することにより、提供することができる。次に、モバイル装置は、現場でのＷＩＦＩネットワークを使用してプロファイルをコントローラに通信する。次に、コントローラは、プロファイルを受信し、エネルギーネットワーク内でプロファイルの少なくとも部分を使用することができる。
【手続補正１６】
【補正対象書類名】明細書
【補正対象項目名】００８７
【補正方法】変更
【補正の内容】
【００８７】
さらなる態様によれば、イベントがスケジューリングされると、方法はブロック３３０に進むことができ、制御動作をネットワーク装置に通信することができる。例えば、制御動作は、ネットワーク装置の動作状況の変更に十分な制御動作データまたは装置データを含むことができる。いくつかの形態では、データは、Ｚｉｇｂｅｅホームオートメーションプロファイル、Ｚｉｇｂｅｅエネルギープロファイル等の標準プロファイルに従ってフォーマットされる。他の形態では、制御動作データは、装置識別子、メッセージを出力するメッセージフォーマット、変更するネットワーク装置のパラメータもしくは特徴、ネットワーク装置の更新された設定点もしくは動作状況、ネットワークもしくはセキュリティの鍵、日時、またはこれらの任意の組み合わせを含むことができる。
【手続補正１７】
【補正対象書類名】明細書
【補正対象項目名】００９２
【補正方法】変更
【補正の内容】
【００９２】
態様によれば、方法は判断ブロック３４６に進み、位置変更が発生したか否かを検出することができる。位置変更が発生しなかった場合、方法はブロック３４８に進み、動作状況を変更すべきか否かを検出することができる。１つまたは複数のネットワーク装置の動作状況を変更しなくてもよい場合、方法はブロック３５８に、そしてブロック３２２に進むことができる。
【手続補正１８】
【補正対象書類名】明細書
【補正対象項目名】００９４
【補正方法】変更
【補正の内容】
【００９４】
方向が検出されると、方法は判断ブロック３４８に進むことができ、ネットワーク装置の動作状況を変更すべきか否かを検出する。例えば、住宅からのユーザが存在し得る距離および方向の検出に加えて、他の様々な種類の情報を使用して、動作状況を変更することもできる。例えば、リアルタイム速度データ、平均速度データ、ユーザが現場に戻り得るための推定時間長、サーモスタットスケジュールデータ、ネットワーク装置スケジューリングデータ、現場リポートデータ、リアルタイム天気状況データ、交通状況データ、ユーザ運転パターンデータ、毎日の運転パターンデータ、ＧＰＳマッピングデータ、ホームエネルギー効率格付け、需要応答データ、削減データ、エネルギー価格データ、電力網状況データ、他の様々な種類のＥＭＩ、またはこれらの任意の組み合わせ等のデータである。
【手続補正１９】
【補正対象書類名】明細書
【補正対象項目名】００９５
【補正方法】変更
【補正の内容】
【００９５】
変更する動作状況を検出すると、方法はブロック３５４に進むことができ、制御動作を開始する。例えば、現場にリモートなサーバを使用して、制御動作リポート内に含め、現場のコントローラに通信することができる制御動作を生成することができる。形態では、制御動作リポートは、現場リポートのアップロードに関連付けて通信することができる。別の態様では、制御動作は、コントローラにより生成することができる。例えば、モバイル装置の位置および方向を識別し、コントローラに通信することができる。次に、コントローラは、位置データおよび方向データならびに可能な場合には必要または所望に応じて他のデータを使用して、制御動作を生成すべきか否かを判断することができる。次に、方法は、概して上述したように、ブロック３２８に進むことができる。判断ブロック３４８において、ネットワーク装置の動作状況を変更すべきではない場合、方法はブロック３５８に、そしてブロック３２２に進むことができる。
【手続補正２０】
【補正対象書類名】明細書
【補正対象項目名】００９６
【補正方法】変更
【補正の内容】
【００９６】
態様によれば、住宅の前もって記憶された位置および位置報告装置の新しい位置を使用して、位置報告装置と現場との距離を検出する方法を提供することができる。判断ブロック３５４において、動作状況の変更は、位置報告装置が住宅から離れて移動中であるとの検出に応答して、ネットワーク装置の動作状況を変更することを含むことができる。さらに、位置報告装置が住宅に向かって移動中であるとの検出に応答して、ネットワーク装置の動作状況を変更することも含む。
【手続補正２１】
【補正対象書類名】明細書
【補正対象項目名】０１０６
【補正方法】変更
【補正の内容】
【０１０６】
さらなる態様によれば、コントローラ４０２は、現場でのエネルギー使用を管理するように動作可能なプロセッサ４０２を含むことができる。プロセッサ４０２は、無線エネルギーネットワーク（図４に明示的に示されず）から受信した入力メッセージをＸＭＬ対応出力データに変換するように構成することができる。プロセッサ４０２は、ＸＭＬ対応入力データを使用して、無線エネルギーネットワークに出力すべき出力メッセージをフォーマットすることもできる。態様によれば、ＸＭＬ対応入力データは、無線エネルギーネットワークを使用してアクセス可能なネットワーク装置のネットワーク装置識別子を含む。コントローラ４００は、Ｚｉｇｂｅｅ装置４２２、ＷＩＦＩ装置４２４、ＡＭＩ装置４２６、またはコントローラ４００がアクセス可能であり、かつ無線エネルギーネットワークにアクセスできる他の任意の装置等の通信装置にアクセス可能なように構成可能な通信インタフェース４３０を含むこともできる。態様によれば、通信インタフェース４３０は、プロセッサ４０２によりフォーマットされた出力メッセージを検出し、バス４０８およびＺｉｇｂｅｅ装置４２２等の通信装置に結合できるメッセージバスフォーマットに出力メッセージを構成するように構成することができる。例えば、出力メッセージは、無線エネ
ルギーネットワークに出力されるように構成されるが、通信装置に出力される前に、メッセージバスフォーマットに処理されるネットワーク装置データを含むことができる。次に、通信インタフェース４３０は、出力メッセージをメッセージバスフォーマットから、特定の通信装置により出力可能なフォーマットに変換することができる。例えば、出力メッセージが、ＷＩＦＩ装置４２４を使用して出力されることが意図される場合、通信インタフェースは、メッセージをＷＩＦＩネットワーク上で送信すべきであったことを検出し、出力メッセージをメッセージバスフォーマットからＷＩＦＩ装置フォーマットに変換することができる。次に、通信インタフェース４３０は、ＷＩＦＩ装置フォーマットのメッセージをＷＩＦＩ装置４２４に出力することができる。
【手続補正２２】
【補正対象書類名】明細書
【補正対象項目名】０１１６
【補正方法】変更
【補正の内容】
【０１１６】
態様によれば、Ｊａｖａ（登録商標）動作環境を使用するプロセッサ４０２は、ブロードバンド装置４１４から受信したＸＭＬ対応入力データを使用して、Ｊａｖａ出力オブジェクトの生成を開始することができる。Ｊａｖａ出力オブジェクトは、無線エネルギーネ
ットワークおよびＺｉｇｂｅｅ装置４２２がアクセス可能なＺｉｇｂｅｅ対応ネットワーク装置のネットワーク装置データを含むことができる。プロセッサ４０２は、必要または所望に応じて装置プロファイル４２２内に記憶されるネットワーク装置プロファイルおよびプロファイル変更子４４８を使用して、ネットワーク装置データにアクセスするように構成されたＪａｖａ入力オブジェクトを使用して、Ｚｉｇｂｅｅ装置４２２から受信した入力メッセージからＸＭＬ対応出力データを生成することをさらに開始することができる。
【手続補正２３】
【補正対象書類名】明細書
【補正対象項目名】０１２８
【補正方法】変更
【補正の内容】
【０１２８】
例えば、プロセッサ４０２を使用して、Ｚｉｇｂｅｅ装置４２２を使用して無線エネルギーネットワークから受信した入力メッセージをＸＭＬ対応出力データに変換することができる。プロセッサ４０２は、無線エネルギーネットワークを使用してアクセス可能なネットワーク装置のネットワーク装置識別子を含むＸＭＬ対応入力データを使用して、無線エネルギーネットワークに出力するように、出力メッセージをフォーマットすることができる。通信インタフェース４３０は、無線エネルギーネットワークを使用して出力するようにプロセッサ４０２によりフォーマットされた出力メッセージを検出するように構成すると共に、メッセージバスフォーマットに出力メッセージを構成し、通信バス４０８に出力するように構成することができる。いくつかの形態では、出力メッセージは、無線エネルギーネットワークに出力されるように構成されるネットワーク装置データを含むことができる。通信インタフェース４３０は、入力ネットワーク装置データを含む、無線エネルギーネットワークから受信される入力メッセージをさらに検出することができる。通信インタフェース４３０を使用して、バス４０８からアクセスした入力メッセージをメッセージバスフォーマットから変換して、プロセッサ４０２に出力できる入力ネットワーク装置データを検出することができる。次に、プロセッサ４０２を使用して、情報ネットワークインタフェース４１６を使用して通信できるネットワーク装置データを含む現場データおよび現場リポートを生成することができる。
【手続補正２４】
【補正対象書類名】明細書
【補正対象項目名】０１４２
【補正方法】変更
【補正の内容】
【０１４２】
さらなる態様によれば、モバイル装置５００は、エネルギー管理アプリケーション５１０および位置報告装置５１２と関連付けて動作可能な近接性検出モジュール５２４を含むことができる。近接性検出モジュール５２４は、エネルギー管理アプリケーション５１０の部分として提供することができ、位置報告装置５１２は別個のモジュール、あるいはそれらの組み合わせとして提供することができる。態様によれば、近接性検出モジュール５２４を位置報告装置５１２と共に使用して、関連付けられた現場からのモバイル装置５００が存在し得る距離を検出することができる。例えば、近接性検出モジュール５２４は、位置報告装置５１２から位置を周期的に要求するバックグラウンドプロセスとして動作することができる。位置報告装置５１２は、様々な位置報告方法（例えば、ＧＰＳ、三角測量等）を使用して、現在の位置および位置報告装置５１２の関連付けられたＡＰＩを検出することができる。態様によれば、近接性検出モジュール５２４は、位置報告装置５１２により提供される位置の精度および応答時間を要求することができる。例えば、ＧＰＳ信号をモバイル装置５００に提供し得ない場合、近接性検出モジュール５２４が位置報告装置５１２を要求し、５００ミリ秒内で三角測量技法または他の技法を使用して位置を検出することができる。別の形態では、近接性検出モジュール５２４は、関連付けられた現場からのモバイル装置５００が存在し得る相対位置に応答して、位置報告装置５１２の報告パラメータを変更することができる。例えば、モバイル装置５００は、関連付けられた現場から５マイルを越えて離れており、位置報告装置５２４は、距離精度、応答時間、使用される方法、または選択できる他の様々な位置報告パラメータを変更することができる。
【手続補正２５】
【補正対象書類名】明細書
【補正対象項目名】０１４９
【補正方法】変更
【補正の内容】
【０１４９】
さらなる態様によれば、モバイル装置５００は、必要または所望に応じて、エネルギー管理システム２００、コントローラ３００、エネルギー管理システム６００、無線サーモスタット１２００、または本明細書に記載される他の様々なシステム、装置、モジュール、ＧＵＩ、またはこれらの任意の組み合わせの様々な部分または機能を組み込み、モバイル装置５００を使用してモバイル環境内でエネルギー使用を管理することができる。さらに、モバイル装置５００は、本明細書に開示されるＥＭＩデータを含むが、これに限定さされない、モバイル装置５００がアクセス可能な様々な種類のデータを使用することができる。態様によれば、アプリケーションアイコン（図５Ｂに明示的に示されず）を、エネルギー管理アプリケーション５１０に関連付けて提供することができる。例えば、いくつかの形態では、アイコンを使用してエネルギー管理アプリケーション５１０にアクセスし、ユーザがエネルギー管理アプリケーション５１０を起動する必要なく、エネルギー消費情報、設定情報、または他の様々な種類の情報を表示するようにアイコンを変更することができる。例えば、エネルギー管理アプリケーション５１０は、テキスト情報（例えば、装置設定、現在の読み取り値、照明オン／オフ等）を変更することができる。例としては、現場のサーモスタットの現在のサーモスタット設定の表示、エネルギー節約もしくは消費レベルに基づくアイコンの色の変更、近接性情報に基づく色の変更、現場内の現在温度の表示、またはこれらの様々な組み合わせを挙げることができる。したがって、ユーザは、現場に関連付けられたＥＭＩデータを表示するためにエネルギー管理アプリケーション５１０を起動する必要がない。
【手続補正２６】
【補正対象書類名】明細書
【補正対象項目名】０１５２
【補正方法】変更
【補正の内容】
【０１５２】
態様によれば、現場６０４は、ＨＶＡＣシステムであるＨＶＡＣ６３０に動作可能に結合される無線サーモスタットであるＴＳＴＡＴ６２８を含むこともできる。現場６０４は、現場６０４に関連付けられたモバイル装置６３２をさらに含むことができる。モバイル装置６３２は、ＷＡＰまたはモバイル情報ネットワーク６３６を使用して通信可能な他のモバイル装置ゲートウェイ等のモバイルクライアントインタフェース６３４に結合することができる。態様によれば、エネルギー管理システム６００は、第１の距離６４０を有する第１のゾーン６３８および第２の距離６４２を有する第２のゾーン６４２を動作可能に提供することができる。第１のゾーン６３８および第２のゾーン６４２を使用して、ＴＳＴＡＴ６２８およびＨＶＡＣ６３０を制御することができる。例えば、第１のゾーン６３８および第２のゾーン６４２は、様々な方法で決定して、現場６０４での１つまたは複数のエネルギー消費装置を制御することができる境界として提供することができる。
【手続補正２７】
【補正対象書類名】明細書
【補正対象項目名】０１５６
【補正方法】変更
【補正の内容】
【０１５６】
さらなる態様によれば、エネルギー管理システム６００は、季節設定を使用してＨＶＡＣ６３０を制御することができる。例えば、エネルギー管理システム６００は、ＨＶＡＣ６３０の動作モードを検出し、検出された動作モードを使用する際の設定点および関連付けられた季節プロファイルを変更することができる。例えば、更新された温度設定点は、ＨＶＡＣ６３０の現在の動作モードが加熱モードであることに応答して、現在の温度設定点と最低季節設定点との間の値を含むことができる。更新された温度設定点は、ＨＶＡＣ６３０の現在の動作モードが冷却モードであることに応答して、現在の温度設定点と最高季節設定点との間の値を有することもできる。サーバ６０２は、現場６０４の効率格付け、更新された温度読み取り値を生成する推定時間、更新された温度設定点、現在のエネルギー価格および将来のエネルギー価格、またはこれらの任意の組み合わせに応答して生成される設定またはデータを含むこともできる制御動作リポートを生成することができる。
【手続補正２８】
【補正対象書類名】明細書
【補正対象項目名】０１７２
【補正方法】変更
【補正の内容】
【０１７２】
別の態様によれば、サーバ６０２をスケジューリングモジュール６４８と共に使用して、エネルギー消費を低減する総合容量を決定することができる。例えば、プロセッサ６０６を使用して、複数の住宅内の住宅群を識別し、群内の各住宅の効率格付けを使用して、群内の各住宅のエネルギー低減容量を決定することができる。各住宅の効率格付けを決定すると、プロセッサ６０６は、利用可能な容量を決定するために使用される他のデータを検出することができる。例えば、各住宅現場での現在の天気状況を検出し、ユーザのエネルギースケジュールまたはサーモスタットスケジュールを使用し、テキストメッセージへの応答または参加を選択する電子メールを決定し、電力網状況を使用することができ、またはこれらの任意の組み合わせを使用することもできる。利用可能な容量を推定すると、群内の各住宅のエネルギー低減容量に基づく総合エネルギー低減容量を特定することができる。
【手続補正２９】
【補正対象書類名】明細書
【補正対象項目名】０１７５
【補正方法】変更
【補正の内容】
【０１７５】
態様によれば、モバイルクライアントインタフェース６３４は、モバイル装置６３２から現場６０４の現場読み取り要求を受信することができる。例えば、プロセッサ６０６は、現場読み取り要求を検出し、データベース６０８へのアクセスを開始して、現場６０４の現場リポートデータを検索することができる。プロセッサ６０６は、モバイル装置データとして現場リポートデータをフォーマットし、モバイル装置ネットワーク６３６を使用してモバイル装置データをモバイル装置６３２に出力することができる。
【手続補正３０】
【補正対象書類名】明細書
【補正対象項目名】０１７７
【補正方法】変更
【補正の内容】
【０１７７】
別の態様によれば、モバイル装置６３２を使用して、現場６０４での１つまたは複数のネットワーク装置の動作モードをイネーブルおよびディセーブルすることができる。例えば、モバイル装置６３２は、現場６０４での設定を制御するために使用可能な、モバイル装置６３２にロードされたモバイルアプリケーションを含むことができる。図５Ａおよび図５Ｂは、モバイル装置６３２が使用可能なエネルギー管理アプリケーションおよび機能の例を示すが、必要または所望に応じて、モバイル装置６３２を使用して他のアプリケーションおよび機能をデプロイすることもできる。別の態様によれば、モバイル装置６３２は、モバイル装置６３２のウェブブラウザを使用してサーバ６０２に関連付けられたウェブに基づくアプリケーションにアクセスして、現場６０４での動作モードまたは状況をイネーブルおよびディセーブルすることができる。例えば、モバイル装置６３２は、必要または所望に応じて、近接性設定を変更し、１つまたは複数の環境制御ゾーンを変更し、現
在の読み取り値にアクセスし、バケーション設定を変更し、エネルギー使用スケジュールを変更し、または現場６０４に配置されたネットワーク装置の動作モードの制御もしくは維持に関連付けられた他の様々な動作モードもしくはデータを変更することができる。
【手続補正３１】
【補正対象書類名】明細書
【補正対象項目名】０１７８
【補正方法】変更
【補正の内容】
【０１７８】
別の態様によれば、エネルギー管理システム６００を使用して、現場６０４での変更された動作状況に関連して、メッセージをモバイル装置６３２に送信することができる。例えば、プロセッサ６０６は、現場６０４から受信される現場データにアクセスし、ＴＳＴＡＴ６２８において提供される手動入力状況をさらに検出することができる。例えば、ユーザは、ＴＳＴＡＴ６２８の温度設定点を低減し得る。プロセッサ６０６は、モバイル装置６３２および近接性検出モジュール６６０から受信される位置データを使用して、ユーザが在宅か否かを検出することができる。状況を検出すると、プロセッサ６０６は、手動での入力状況を示すテキストメッセージを開始すべきか否かを判断することができる。例えば、プロセッサ６０６は、メッセージモジュール６７２を使用して、ＴＳＴＡＴ６２８の状況変更を示すテキストメッセージをフォーマットして出力すると共に、モバイルクライアントインタフェース６３４を使用してテキストメッセージを出力することができる。次に、ユーザは、所望に応じてモバイル装置６３２を使用して状況を変更することができる。他の形態では、電子メールメッセージまたは他の電子メッセージをユーザに送信することもできる。例えば、メッセージは、ユーザに関連付けられたコンピュータシステムのウィンドウ内に表示することができる。他の形態では、テキストメッセージを現場６０４に関連付けられた複数のモバイル装置に送信することができる。必要または所望に応じて、動作状況への手動の変更を現場６０４のユーザに警告する他の様々な組み合わせを使用することができる。
【手続補正３２】
【補正対象書類名】明細書
【補正対象項目名】０１８０
【補正方法】変更
【補正の内容】
【０１８０】
態様によれば、ＥＭＵＩ７００は、１つまたは複数のユーザ名７０４、住宅現場住所７０６、住宅現場住所７０６に関連付けられた携帯電話番号７０８を表示するように構成されたユーザ情報セクション７０２を含むことができる。ユーザ情報セクション７０２は、住宅現場住所７０６に関連付けられた現在のエネルギー提供事業者７１０および住宅現場住所７０６で利用可能な第三者エネルギー提供事業者の現在の最良レート７１２をさらに表示することができる。広告７１４セクションを表示することもでき、詳細編集リンク７１６を表示して、ユーザが、ユーザ情報セクション７０２内に表示された情報に対してアクセス、編集、変更、削除、管理等を行えるようにすることができる。本明細書において説明される図９は、ユーザ情報セクション７０２内に表示されるユーザ情報の編集に使用可能なユーザインタフェースの例を含む。ユーザ情報セクション７０２は、ユーザ名７０４に関連付けられたエネルギーパーソナリティ７４０を表示することもできる。エネルギーパーソナリティ７４０は、必要または所望に応じて１つまたは複数のソーシャルネットワークにリンクすることもできる。
【手続補正３３】
【補正対象書類名】明細書
【補正対象項目名】０１８６
【補正方法】変更
【補正の内容】
【０１８６】
さらなる態様によれば、ＥＭＵＩ８００は、時単位でエネルギー消費および節約を示すように構成された日毎の使用グラフ８１６を含むこともできる。例えば、ユーザが中エネルギー節約設定を選択する場合、日毎の使用グラフは、ドル単位、ｋＷｈ単位、またはこれらの任意の組み合わせの単位で日毎の節約を表示することができる。日毎の使用グラフ８１６は、仮にエネルギー使用が管理されないままであった場合の消費を示したグラフをさらに含むことができる。さらなる態様によれば、日毎の使用グラフ８１６は、ユーザがエネルギー消費および節約を閲覧する曜日を選択できるように構成された曜日セレクタ８１８を含むこともできる。
【手続補正３４】
【補正対象書類名】明細書
【補正対象項目名】０１９１
【補正方法】変更
【補正の内容】
【０１９１】
態様によれば、ユーザセレクタ９０４は、ユーザが編集するユーザデータを選択できるように構成することができる。例えば、ユーザセレクタ９０４を選択することにより、複数のユーザを住宅現場に関連付け、ユーザの情報にアクセスすることができる。他の形態では、ユーザは、ウェブサイトまたは他のアプリケーションにログインすることができ、住宅現場に関連付けられたユーザ固有のデータに対して限られたアクセスを有することが可能であり得る。別の態様によれば、ユーザ情報セレクタ９０４を使用して、住宅現場に関連付ける追加のユーザを追加することができる。したがって、マスタユーザまたは管理者ログインが（図９には明示的に示されず）、ユーザ情報の管理のために提供することができる。いくつかの態様では、ユーザプロファイル９０２は、事前に入力された情報を含み、ユーザが入力する必要があり得る情報量を低減することができる。さらに、必要または所望に応じて、追加のユーザは住宅現場に関連付けられた情報にアクセスし、使用することができる。
【手続補正３５】
【補正対象書類名】明細書
【補正対象項目名】０１９２
【補正方法】変更
【補正の内容】
【０１９２】
さらなる態様によれば、ＥＭＵＩ９００は、小売り店、公益企業、または第三者のエネルギー情報を含むことができるエネルギー提供事業者セクション９２２を含むこともできる。例えば、現在のエネルギー提供事業者を表示することができ、現在使用中の現在のエネルギーレートおよび計画を表示することもできる。エネルギー提供事業者セクション９２２は、現在の提供事業者での最良レート計画および別の提供事業者を通して利用可能な最良地域レートを示すこともできる。エネルギー提供事業者セクション９２２は、現在の提供事業者、他の提供事業者、またはこれらの任意の組み合わせの利用可能な最良レートを使用して、住宅現場の節約計算を開始可能な節約計算要素９３４を含むこともできる。節約計算要素９３４は、履歴現場データ、住宅現場のスケジューリングデータ、予測エネルギー消費、将来のエネルギー価格、または他の様々なＥＭＩ、またはこれらの任意の組み合わせを使用して、年間節約を決定することもできる。次に、現場消費を使用して、所与のレート計画を使用した場合の全体エネルギーコストを特定することができる。他の間隔（例えば、月間、週間、日毎等）を必要または所望に応じて計算することもできる。したがって、ユーザは、使用習慣および住宅現場でのスケジューリングデータと協調する計画を識別することができる。
【手続補正３６】
【補正対象書類名】明細書
【補正対象項目名】０１９３
【補正方法】変更
【補正の内容】
【０１９３】
本開示のさらなる態様によれば、ＥＭＵＩ９００は、ユーザポスティングおよびレビューセクション９２４を含むこともできる。ユーザポスティングおよびレビューセクション９２４は、エネルギーブログ、グリーンエネルギーレビュー、市場等を選択可能なコンテンツセレクタ９２６を含むことができる。例えば、ユーザが「Ｍｙ  Ｅｎｅｒｇｙ  Ｂｌｏｇｓ（私のエネルギーブログ）」を選択する場合、ユーザが自分のエネルギーブログを編集し公開できるように構成されたユーザエネルギーブログ９２８を含むエネルギーブログのタイトルリストを表示することができる。ユーザは、エネルギーブログをエネルギーブログウェブサイト、ソーシャルネットワーク、第三者のサイト、コンテンツプロバイダ、またはこれらの任意の組み合わせに対して公開することができる。第三者のエネルギーブログ９３０もユーザポスティングおよびレビューセクション９２６内に列挙することができ、第三者のブロガー、記事、コンテンツプロバイダ、ＲＳＳフィード、Ｔｗｉｔｔｅｒ（登録商標）Ｆｅｅｄｓ、またはこれらの任意の組み合わせがコンテンツを提供できるようにする。態様によれば、ユーザは、ブログ、ニュースフィード、ソーシャルネットワーク、Ｔｗｉｔｔｅｒ（登録商標）アカウント等をユーザポスティングおよびレビューセクション９２４に所望に応じて追加することができる。ユーザポスティングおよびレビューセクション９２４内のユーザセレクタにより、ユーザは、サイトに関連付けられたユーザコンテンツを選択することができ、読み出し／書き込み／アクセス特権をそれに従ってイネーブルおよびディセーブルすることができる。
【手続補正３７】
【補正対象書類名】明細書
【補正対象項目名】０１９４
【補正方法】変更
【補正の内容】
【０１９４】
さらなる態様によれば、ユーザポスティングおよびレビューセクション９２４は、エネルギー節約製品、環境に優しい製品、グリーンエネルギー生産システム、またはこれらの任意の組み合わせを検討するように構成された「グリーンエネルギーレビュー」セクションを含むこともできる。ユーザポスティングおよびレビューセクション９２４は、ユーザがグリーンエネルギー製品ウェブサイトまたはグリーンエネルギー製品を有する市場にアクセスできるように構成された「市場」セクションを含むこともできる。例えば、市場を使用して、スマート家電等の利用可能なグリーンエネルギー製品を統合し、さらに、第三者の価格およびグリーンエネルギー製品を販売しているウェブサイトを識別することができる。したがって、ユーザは、ユーザポスティングおよびレビューセクション９２４を使用して新しいエネルギー節約製品のレビューを読み、エネルギー製品にアクセスすることができる。いくつかの場合、ＥＭＵＩ９００を使用して、市場セクション、グリーンエネルギーレビューセクション、小売りエネルギー提供事業者等内のポスティング間での電子商取引を可能にして、ＥＭＵＩ９００をホストするファームに販売から生じる利益の部分を支払うことができる。
【手続補正３８】
【補正対象書類名】明細書
【補正対象項目名】０２０４
【補正方法】変更
【補正の内容】
【０２０４】
別の態様によれば、ＥＭＵＩ１０００は、テキストメッセージをユーザのモバイル装置に送信できるように構成されたエネルギー警告テキストメッセージセレクタ１０３８を含むことができる。例えば、高エネルギー使用日に、エネルギー行動日を識別し、公益企業または他のエンティティが、高エネルギー使用日が発生しつつあり得ることを示す警告を公開し得る。したがって、ユーザは、その状況を示すテキストメッセージを受信することができる。いくつかの形態では、ユーザはテキストメッセージに応答し、エネルギー使用スケジュールを変更することができる。例えば、ユーザは要求に応答して、エネルギー節約設定を中から高に変更することができる。したがって、高エネルギー節約スケジュールをユーザの現場で開始するように、スケジューリングツール１０１２を変更することができる。他の形態では、エネルギー警告テキストメッセージセレクタ１０３８を使用することにより、ユーザは、テキストメッセージを介して需要応答要求を受信することができる。例えば、需要応答要求は、要求される時間間隔、新しい温度設定、推定される節約、他の需要応答データ、またはこれらの任意の組み合わせをテキストメッセージ内に含み得る。次に、ユーザは、テキストメッセージに応答して、参加、非参加、部分的な参加、またはこれらの任意の組み合わせを行い得る。応答すると、ユーザスケジュールを必要または所望に応じて変更することができる。
【手続補正３９】
【補正対象書類名】明細書
【補正対象項目名】０２０８
【補正方法】変更
【補正の内容】
【０２０８】
さらなる態様によれば、ユーザは、変更する曜日を選択することができる。例えば、ユーザは、「ＭＯＮ（月曜）」を選択し、背景色を変更して、各ＭＯＮセルが変更可能なことを示すようにすることができる。形態では、ユーザは、節約セレクタ１００８を使用して所望に応じて各セルを更新し、必要または所望に応じて、１つもしくは複数または全てのＭＯＮセルを変更することができる。
【手続補正４０】
【補正対象書類名】明細書
【補正対象項目名】０２１１
【補正方法】変更
【補正の内容】
【０２１１】
さらなる態様によれば、ＥＭＵＩ１０００の部分または全ては、現在の動作状況を報告できるユーザインタフェースを含むことができると共に、現場でのスマート家電または制御システムへのアクセスをユーザに提供可能な制御論理をさらに含むことができる。例えば、需要応答状況をエネルギー伝送システム内で検出し得る場合、ＥＭＵＩ１０００を使用して、状況をユーザに出力することができる。次に、ユーザは、現場での１つまたは複数のエネルギー消費装置の動作状況を変更することができる。
【手続補正４１】
【補正対象書類名】明細書
【補正対象項目名】０２１３
【補正方法】変更
【補正の内容】
【０２１３】
他の形態では、ＥＭＵＩ１０００を様々な種類のＥＭＩデータに関連付けて使用することができる。例えば、現在および予測の天気データ、電力網状況、リアルタイム価格データ、電力網混雑状況、予測需要、またはこれらの任意の組み合わせ等の様々なＥＭＩデータを使用して、ユーザが選択可能な設定推奨を決定することができる。このようにして、ユーザのライフスタイルおよび好みをリアルタイムおよび予測される状況に一致させて、ユーザが十分な情報を受けた上でエネルギー消費を判断できるようにする。
【手続補正４２】
【補正対象書類名】明細書
【補正対象項目名】０２１７
【補正方法】変更
【補正の内容】
【０２１７】
さらなる態様によれば、無線サーモスタット１１００は、スマートサーモスタット設定１１１８を含むこともできる。スマートサーモスタット設定１１１８は、近接性モード１１２２、バケーションモード１１２４、およびスマートエネルギーモード１１２６を表示することができるプログラム可能な設定であることができる。スマートサーモスタット設定１１１８は、現場の容量、無線サーモスタット１１００の現在の動作モード、ＥＭＵＩ１１００等のエネルギー管理ユーザインタフェース内の設定、モバイル装置の動作モード、モバイル装置の位置、エネルギーネットワークにアクセス可能な別のネットワーク装置の動作モード、または無線サーモスタット１１００がアクセス可能な動作モードもしくは設定の他の様々な組み合わせに基づいて表示することができる。例えば、ユーザは、近接性モード１１２２を使用して近接性検出をアクティブ化して、無線サーモスタット１１００（可能であれば、他のネットワーク装置も）を制御したいことがある。したがって、それに従ってユーザは近接性モードをアクティブ化することができる。他の形態では、ユーザは、バケーションに出掛け得、バケーションモード１１２２をアクティブ化することができる。別の形態では、ユーザは、スマートエネルギーモード１１２６をアクティブ化し、ＥＭＵＩ１０００により提供されるエネルギースケジュール、関連付けられた設定等をデプロイすることができる。
【手続補正４３】
【補正対象書類名】明細書
【補正対象項目名】０２１８
【補正方法】変更
【補正の内容】
【０２１８】
別の態様によれば、無線サーモスタット１１００は、ユーザが無線サーモスタット１１００に触れたことを検出できる材料を有することができる筐体１１３０を含むことができる。例えば、筐体１１３０は、ユーザが筐体１１３０の部分に触れたことを検出するように構成された熱センサ、容量性センサ等に動作可能に結合することができる。ユーザが筐体１１３０に触れたことを検出すると、無線サーモスタット１１００の１つまたは複数の表示またはインジケータを照明し得る。このようにして、１つまたは複数の表示をスリープ状態から表示状態に変更することにより、無線サーモスタット１１００が消費するエネルギーを可視化することができる。さらなる態様によれば、筐体１１３０の部分または全ては、無線サーモスタット１１００の１つまたは複数の表示またはインジケータを隠すことが可能な透明性、透光性、半透明性、半透光性、不透明性、他の種類の光変更材料、またはこれらの任意の組み合わせ等の特徴を含み得る隠蔽材料等の材料を含むことができる。例えば、バックライトまたはＬＥＤは、無線サーモスタット１１００の表面を照明し、筐体１１３０の前面またはその近傍にディスプレイを有する外観にすることができる。したがって、隠蔽材料を有する筐体１１３０は、表示または他のインジケータを使用して永久的に表示される読み取り値または設定がない状態で、壁または他の位置に取り付けることができる。
【手続補正４４】
【補正対象書類名】明細書
【補正対象項目名】０２２１
【補正方法】変更
【補正の内容】
【０２２１】
さらなる態様によれば、無線サーモスタット１２００は、１つまたは複数の関連付けられた無線ネットワークと通信可能な１つまたは複数の無線装置１２１４と、メモリ１２１６と、ディスプレイインタフェース１２１８とを含むこともできる。ディスプレイインタフェース１２１８は、全体的にディスプレイ１２２２として示される１つまたは複数のＬＣＤディスプレイ、タッチスクリーン、１つまたは複数のＬＥＤ、または他の様々なディスプレイ技術と連動するように構成可能である。無線サーモスタット１２００は、関連付けられたネットワーク装置が消費したエネルギを測定するように構成された精度測定ユニット（ＰＭＵ）１２２０と、ネットワークプロトコル構成データ、ユーザプロファイルデータ、装置データ、季節プロファイルデータ、または無線サーモスタット１２００の使用中にアクセス可能な他の様々な種類のデータを含み得るプロファイルモジュール１２２４とを含むこともできる。態様によれば、無線サーモスタット１２００は、無線サーモスタット１２００に関与するユーザがアクセス可能なイネーブルされたプログラム可能サーモスタットスケジュールを含まない非プログラム可能なサーモスタットである。したがって、必要または所望に応じて、無線サーモスタット１２００内のスケジューリング機能量は制限され、ユーザは、ＥＭＵＩ１０００または本明細書において提供される他の様々な特徴等のスケジューリングツールを使用して、無線サーモスタット１２００の使用をイネーブルおよびディセーブルすることができる。
【手続補正４５】
【補正対象書類名】明細書
【補正対象項目名】０２２６
【補正方法】変更
【補正の内容】
【０２２６】
態様によれば、コントローラ１３０２は、情報ネットワーク、ユーティリティネットワーク、またはこれらの任意の組み合わせから通信された入力メッセージの少なくとも部分を使用するように構成されたアプリケーションプログラムインタフェース１３０６を含むことができる。例えば、入力メッセージは、ユーザエネルギー管理スケジュールの少なくとも部分を含むことができる。コントローラ１３０２は、第１のユーザエネルギー管理スケジュールの部分の検出に応答して、資源の使用の変更を開始することができる。例えば、スケジュールは、サーモスタット、照明、スマート家電等の変更を含むことができる。通信インタフェース１３０６はさらに、アプリケーションプログラムインタフェース１３０６に動作可能に結合され、無線装置を使用して情報を通信するように構成することができる。
【手続補正４６】
【補正対象書類名】明細書
【補正対象項目名】０２３０
【補正方法】変更
【補正の内容】
【０２３０】
態様によれば、コントローラ１３０２は、エネルギーネットワークにアクセス可能なネットワーク装置を制御する、２つ以上のネットワークから受信した出力制御動作を含むことができる。例えば、無線装置１３１２は、ＷＩＦＩ対応ネットワークとして動作可能な第３のネットワーク１３２２から制御動作データを受信するように構成することができる。制御動作データは、モバイル装置１３２４を使用して第１のユーザスケジュールに関連付けて提供することができる。コントローラ１３０２はさらに、ユーティリティスケジュール等の第２のユーザスケジュールから第２の制御動作を受信することができる。第２の制御動作データまたは第２のユーザエネルギー管理スケジュールは、ＡＭＩ対応ネットワークおよびスマートメータ／ＡＭＩインタフェース１３１６として構成された第１のネットワーク１３１４を使用して通信することができる。次に、コントローラ１３０２は、第１の制御動作前に第２の制御動作を使用すべきか否かを検出することができる。
【手続補正４７】
【補正対象書類名】明細書
【補正対象項目名】０２３２
【補正方法】変更
【補正の内容】
【０２３２】
さらなる態様によれば、アプリケーションプログラムインタフェース１３０６を使用して、第２のユーザエネルギー管理スケジュールの第１の制御動作を使用する前に、第１のユーザエネルギー管理スケジュールの第１の制御動作の使用を開始することができる。例えば、第２のユーザエネルギー管理スケジュールは、第１のユーザエネルギー管理スケジュールよりも高い優先度を有することができる１つまたは複数の制御動作を含むことができる。したがって、コントローラ１３０２およびアプリケーションプログラムインタフェース１３０６は、必要または所望に応じて、優先度に基づいて制御動作を開始することができる。
【手続補正４８】
【補正対象書類名】明細書
【補正対象項目名】０２３３
【補正方法】変更
【補正の内容】
【０２３３】
さらなる態様によれば、コントローラ１３０２は、現場１３０４からの関連付けられたモバイル装置１３２４が存在し得る距離に応答して、制御動作またはエネルギー管理スケジュールを開始することができる。例えば、第１のユーザエネルギー管理スケジュールを、現場１３０２またはその近傍に配置されるモバイル装置１３２４を有する第１のユーザとしてデプロイし得る。モバイル装置１３２４が現場１３０２から離れて移動する（例えば、１マイル、３マイル等）場合、第２のユーザエネルギー管理スケジュールを開始し、コントローラ１３０２は第２のユーザエネルギー管理スケジュールを使用することができる。このようにして、モバイル装置１３２４の近接性検出を使用して、第２のユーザエネルギースケジュールを開始することができる。
【手続補正４９】
【補正対象書類名】明細書
【補正対象項目名】０２３５
【補正方法】変更
【補正の内容】
【０２３５】
態様によれば、コントローラ１３０２は、モバイル装置１３２４を第３のネットワーク１３２２に接続し、コントローラ１３０２にアクセス可能なネットワーク装置の動作を変更し得る場合を検出することができる。例えば、モバイル装置１３２４は、ＷＩＦＩネットワークまたは現場１３０４にデプロイ可能な他のネットワークとして動作可能な第３のネットワーク１３２２に結合することができる。モバイル装置１３２４が現場１３０４から離れて移動し、第３のネットワーク１３２２へのネットワーク接続を変更し得る場合、コントローラ１３０２は、第３のネットワーク１３２２への接続性（例えば、信号が弱い、信号が失われる、別のハブ、局、コントローラへの接続切り替え等）の変更を検出することができ、無線装置１３１２の接続状況を通信インタフェース１３０６に出力することができ、アプリケーションプログラムインタフェース１３０６によりアクセスすることができる。したがって、コントローラ１３０２は、コントローラ１３０２にアクセス可能なリソースまたはネットワーク装置の使用を変更すべきか否かを検出することができる。例えば、モバイル装置１３２４は、ＷＩＦＩ接続を使用して第３のネットワーク１３２２に接続し得る。ＷＩＦＩ接続が変更される場合、コントローラ１３０２は、ＴＳＴＡＴ１３２０、１つもしくは複数の無線装置１３０８、１３１０、１３１２、またはコントローラ１３０２にアクセス可能な他の様々なリソース等のリソースの動作状況の変更を開始することができる。例えば、第２のユーザが現場１３０４に存在し得る場合、第１のユーザエネルギー管理スケジュールとは異なり得る第２のユーザエネルギー管理スケジュールをデプロイすることができる。例えば、リソースの動作状況に応答して、第２のユーザの第２のエネルギー管理スケジュールの第１の部分をイネーブルすることができる。
【手続補正５０】
【補正対象書類名】明細書
【補正対象項目名】０２３７
【補正方法】変更
【補正の内容】
【０２３７】
別の態様によれば、モバイル装置１３２４は、１つまたは複数の無線通信プロトコルを含むことができるネットワーク接続１３３０を使用して、ＴＳＴＡＴ１３２０にアクセスできるように構成することができる。例えば、ＴＳＴＡＴ１３２０等のネットワーク装置は、ＷＩＦＩ接続、Ｂｌｕｅｔｏｏｔｈ接続、または他の様々な形態の無線通信を使用してモバイル装置１３２４に結合することができる。ＴＳＴＡＴ１３２０に接続されると、モバイル装置１３２４を使用して、ＴＳＴＡＴ１３２０の動作状況を変更することができる。したがって、エネルギー管理能力を有するモバイル装置１３２４を使用して、ＴＳＴＡＴ１３２０、現場１３０４での他の様々なネットワーク装置、またはこれらの任意の組み合わせの動作状況を変更することができる。例えば、モバイル装置１３２４は、図１０において説明されるＥＭＵＩ１０００の部分または全て等のエネルギー管理スケジューリングツールを含み、ＴＳＴＡＴ１３２０に制御入力およびスケジューリングデータを直接提供することができる。したがって、コントローラ１３０２が制御動作の出力に利用できない場合があり（例えば、ネットワーク接続が失われ得る等）、またはモバイル装置１３２４が、制御入力またはエネルギー管理スケジューリング情報をＴＳＴＡＴ１３２０に提供するために、コントローラ１３０２よりも高い優先度を有し得る。
【手続補正５１】
【補正対象書類名】明細書
【補正対象項目名】０２３８
【補正方法】変更
【補正の内容】
【０２３８】
さらなる態様によれば、ＴＳＴＡＴ１３２０は、入力を受信し、状況情報、動作状況、制御動作、またはこれらの任意の組み合わせをネットワークリソース、コントローラ１３０２、モバイル装置１４３２、スマートメータ／ＡＭＩ１３１６、または他の任意のデバイス、システム、装置、もしくはこれらの任意の組み合わせに通信することができる。態様によれば、ＴＳＴＡＴ１３０２はユーザにより変更された動作状況（例えば、モード変更、スマートエネルギー設定変更等）を検出できるとともに、動作状況変更を通信することができる。別の形態では、ＴＳＴＡＴ１３２０は、ＴＳＴＡＴ１３２０への入力に応答して、別のネットワーク装置の動作状況を変更することができる。例えば、ユーザは、ＴＳＴＡＴ１３２０をバケーション動作モードにすることができる。したがって、ＴＳＴＡＴ１３２０は、更新された状況を別のネットワーク装置、コントローラ１３０２、モバイル装置１３２４、または他のネットワーク装置に出力することができる。例えば、第２のＴＳＴＡＴを現場１３０４に配置し（図１３に明示的に示されず）、ＴＳＴＡＴ１３２０により出力される信号を使用してバケーション動作モードにすることができる。他の形態では、コントローラ１３０２、モバイル装置１３２４、またはこれらの任意の組み合わせを使用して、必要または所望に応じて、第２のＴＳＴＡＴの動作状況を変更することができる。
【手続補正５２】
【補正対象書類名】明細書
【補正対象項目名】０２３９
【補正方法】変更
【補正の内容】
【０２３９】
図１４は、本開示の態様による、全体的に１４００で示される共同需要応答システム（ＣＤＲＳ）を示す。ＣＤＲＳ１４００は、データベース１４０４等の情報ソースに動作可能に結合されたサーバ１４０２を含むことができる。さらなる態様によれば、サーバ１４０２は、図６に示されるサーバ６０２の部分もしくは全てまたはＣＤＲＳ１４００と共にデプロイ可能な他の任意のサーバを含むことができる。さらなる態様によれば、データベース１４０４は、現場データ１４０６、ユーザプロファイルデータ１４０８、性能データ１４１０、または必要または所望に応じてＣＤＲＳ１４００に関連付けて使用可能な他の様々な種類のＥＭＩデータを含むことができる。別の態様によれば、ＣＤＲＳ１４００は、１つまたは複数の外部データソース１４１２へのアクセスを含むこともできる。ＣＤＲＳ１４００は、ＣＤＲＳ１４００の利用可能な容量を購入可能なエネルギー購入者／オークション１４１４とインタフェースすることもできる。
【手続補正５３】
【補正対象書類名】明細書
【補正対象項目名】０２４０
【補正方法】変更
【補正の内容】
【０２４０】
さらなる態様によれば、ＣＤＲＳ１４００は、モニタ１４１６、クライアントインタフェース１４１８、および現場インタフェース１４２０を含むことができる。態様によれば、クライアントインタフェース１４１８は、第１のモバイル装置１４２２、第２のモバイル装置１４２４、クライアントシステム１４２６、またはこれらの任意の組み合わせに結合することができる。例えば、クライアントインタフェース１４１８は、モバイルネットワークを使用して情報を通信可能なモバイルクライアントインタフェースとして構成することができる。他の形態では、クライアントインタフェース１４１８は、インターネット等の情報ネットワークを使用してクライアントシステム１４２６に結合することができる。
【手続補正５４】
【補正対象書類名】明細書
【補正対象項目名】０２４１
【補正方法】変更
【補正の内容】
【０２４１】
別の態様によれば、ＣＤＲＳ１４００は、複数の現場とインタフェースするように構成された現場インタフェース１４２０を含むことができる。例えば、現場インタフェース１４２０に、第１の現場１４２８およびモバイル装置１４２２を動作可能に関連付けることができる。他の形態では、現場インタフェース１４２０に、第２の現場１４３０およびモバイル装置１４２４を動作可能に結合することができる。現場インタフェース１４２０に、第３の現場１４２３およびクライアントシステム１４２６を動作可能に関連付けることもできる。他の様々な組み合わせをＣＤＲＳ１４００と共に使用することができる。
【手続補正５５】
【補正対象書類名】明細書
【補正対象項目名】０２４２
【補正方法】変更
【補正の内容】
【０２４２】
使用中、ＣＤＲＳ１４００を使用して、需要応答イベントへの現場の所有者の参加要望を判断することができる。サーバ１４０２およびモニタ１４１６は、特定の時間にデプロイすべき現在または将来の需要応答イニシアティブを検出することができる。サーバ１４０２は、特定の地域での容量の可用性を検出し、現場所有者、ユーザ、管理者等への問い合わせを開始することができる。態様によれば、テキストメッセージ、電子メールメッセージ、または他の形態の電子もしくは無線メッセージを開始して、ユーザの参加要望を検出することができる。サーバ１４０２は、特定の現場に関連付けられた現場データ１０６にアクセスして、ユーザが参加するデフォルト設定を有し得るか否かを検出することができる。他の形態では、ユーザは、電子メールまたはテキストメッセージを介して交信すべき選好を設定し得る。したがって、サーバ１４０２は、メッセージを開始し、一人または複数のユーザの参加要望を検出することができる。
【手続補正５６】
【補正対象書類名】明細書
【補正対象項目名】０２４３
【補正方法】変更
【補正の内容】
【０２４３】
さらなる態様によれば、サーバ１４０２は、需要応答イベントへの参加を選んだ各現場の性能データにアクセスすることができる。例えば、現場の履歴現場データをデータベース１４０４内に記憶し、参加する現場の性能を性能データ１４１０として特定することができる。態様によれば、データベース１４０４、外部データソース１４１２、またはこれらの任意の組み合わせからの他のＥＭＩデータにアクセスし、現場の性能の特定に使用することができる。例えば、現在および予測の天気状況を使用して、現場の性能を特定することができる。現場の熱応答または特徴と共に、天気状況を考慮に入れて、エネルギーを低減する容量を現場単位で決定することができる。全体的または総合的な容量および参加要望は、第三者に販売でき、ＣＤＲＳ１４００の所有者により貨幣化でき、またはこれらの任意の組み合わせがなされてもよい。
【手続補正５７】
【補正対象書類名】明細書
【補正対象項目名】０２４５
【補正方法】変更
【補正の内容】
【０２４５】
さらなる態様によれば、ＤＳＳ１５００は、総合需要モジュール１５１６、クライアントインタフェース１５１８、現場インタフェース１５２０、またはこれらの任意の組み合わせを含むことができる。態様によれば、クライアントインタフェース１５１８は、第１のモバイル装置１５２２、第２のモバイル装置１５２４、クライアントシステム１５２６、またはこれらの任意の組み合わせに結合することができる。例えば、クライアントインタフェース１５１８は、モバイルネットワークを使用して情報を通信するように動作可能なモバイルクライアントインタフェースとして構成することができる。他の形態では、クライアントインタフェース１５１８は、インターネット等の情報ネットワークを使用してクライアントシステム１５２６に結合することができる。
【手続補正５８】
【補正対象書類名】明細書
【補正対象項目名】０２４６
【補正方法】変更
【補正の内容】
【０２４６】
別の態様によれば、ＤＳＳ１５００は、複数の現場とインタフェースするように構成された現場インタフェース１５２０を含むことができる。例えば、現場インタフェース１５２０に、モバイル装置１５２２に関連付けることができる第１の現場１５２８を動作可能に関連付けることができる。他の形態では、現場インタフェース１５２０に、第２の現場１５３０およびモバイル装置１５２４を動作可能に関連付けることができる。現場インタフェース１５２０に、第３の現場１５３２およびクライアントシステム１５２６を動作可能に関連付けることもできる。他の様々な組み合わせをＤＳＳ１５００と共に使用することもできる。
【手続補正５９】
【補正対象書類名】明細書
【補正対象項目名】０２４７
【補正方法】変更
【補正の内容】
【０２４７】
使用中、サーバ１５０２は、ＥＭＩデータを使用して、現場１５２８、１５３０、１５３２でのエネルギー使用を予測することができる。例えば、各現場は、データベース１５０４内に記憶された現場スケジュールデータ１５０８を含むことができる。例えば、ＥＭＵＩ１０００または別のスケジューリングツールを使用して、現場でのエネルギー使用をスケジューリングすることができる。現場スケジューリングデータ１５０８を使用して、エネルギー使用が何であるかを現場単位で特定することができる。特定の地域、郵便番号、変電所、電力網位置等の総合需要を検出することもできる。次に、総合需要モジュール１５１６は、需要の総合レベルが何であるかを検出することができ、次に、スケジューリングされた需要を必要または所望に応じて公益企業に通信することができる。このようにして、従来では現場単位でアクセス可能ではない場合があったスケジューリングデータを使用して、エネルギー需要を検出し、エネルギー生産をスケジューリングすることができる。例えば、従来、住宅現場は、現場単位でのスケジュールの決定ができない非プログラム可能なサーモスタットおよびプログラム可能なサーモスタットを使用する。ＤＳＳ１５００は、各住宅現場のスケジューリングデータにアクセスし、総合需要スケジュールを決定できるようにし得る。
【手続補正６０】
【補正対象書類名】明細書
【補正対象項目名】０２５０
【補正方法】変更
【補正の内容】
【０２５０】
方法は一般的に、ブロック１６００において開始される。ブロック１６０２において、ネットワーク装置データを取得する取得間隔を検出することができる。例えば、無線エネルギーネットワークにアクセス可能な１つまたは複数のネットワーク装置を有する無線エネルギーネットワークを使用して、ネットワーク装置データを取得することができる。例えば、無線エネルギーネットワークは、情報を通信して、無線ネットワークにアクセス可能なネットワーク装置のエネルギー使用を管理するように構成された様々な種類の無線ネットワークを含むことができる。例えば、無線エネルギーネットワークは、ＩＥＥＥ８０２．１５に基づく無線通信、Ｚｉｇｂｅｅ通信、ＩＮＳＥＴＥＯＮ通信、Ｘ１０通信プロトコル、Ｚ−Ｗａｖｅ通信、Ｂｌｕｅｔｏｏｔｈ通信、ＷＩＦＩ通信、ＩＥＥＥ８０２．１１に基づく通信、ＷｉＭＡＸ通信、ＩＥＥＥ８０２．１６に基づく通信、様々なプロプライエタリ無線通信の任意の組み合わせまたは部分のうちの１つまたは複数を含むことができる。
【手続補正６１】
【補正対象書類名】明細書
【補正対象項目名】０２６１
【補正方法】変更
【補正の内容】
【０２６１】
現場リポートデータの処理が開始されると、方法は判断ブロック１６３４に進み、制御動作が利用可能であり得るか否かを検出することができる。例えば、特定の現場および１つまたは複数のネットワーク装置が関連付けられた制御動作フィールドまたはフラグをデータベースまたは他の記憶ロケーション内に提供することができる。別の形態では、１つまたは複数の二進値を使用して、制御動作データが利用可能であるか否かを示すことができる。制御動作が利用可能であり得る場合、方法はブロック１６３６に進み、制御動作を受信することができる。例えば、セッション中、制御動作を通信することができ、制御動作は、現場でアクセス可能なネットワーク装置に関連付けられた１つまたは複数の動作を含むことができる。態様によれば、制御動作は、プロファイル（例えば、Ｚｉｇｂｅｅプロファイル、スマートエネルギープロファイル、ホームオークション等）に基づいて符号化することができる。他の態様では、制御動作は、ＸＭＬ符号化データ、ＨＴＭＬ符号化データ、プロプライエタリデータフォーマット、またはこれらの任意の組み合わせとしてフォーマットすることができる。
【手続補正６２】
【補正対象書類名】明細書
【補正対象項目名】０２６４
【補正方法】変更
【補正の内容】
【０２６４】
態様によれば、ブロック１６４８において、方法はネットワークロケーションから切断し、ブロック１６５０に進むことができる。制御動作を受信している可能性がある場合、方法は、制御動作データを処理し、ブロック１６５２に進み、制御動作データ内の制御動作を検出することができる。態様によれば、制御動作は、必要または所望に応じて、１つまたは複数のネットワーク装置属性の動作状況または値の取得または読み取り、ネットワーク装置の動作状況の変更、ネットワーク装置の動作スケジュールの更新、または他の様々な制御動作等の動作の様々な組み合わせを含むことができる。別の形態では、制御動作データは、メモリ内に記憶し、スケジュールに基づいてデプロイすることができる。したがって、現場の情報ネットワークが故障した場合、時間（例えば、１２時間、２４時間等）を記憶しデプロイすることができる。
【手続補正６３】
【補正対象書類名】明細書
【補正対象項目名】０２６６
【補正方法】変更
【補正の内容】
【０２６６】
制御動作データを処理すると、方法はブロック１６５６に進むことができ、処理された制御動作データを生成して、ネットワーク装置データにすることができる。例えば、ネットワークをデプロイして、現場にエネルギーネットワークを提供することができる。したがって、装置データをネットワーク装置データとして通信するプロトコルをデプロイすることができる。他の形態では、通信装置をＵＳＢポート、ＵＡＲＴポート、ＳＰＩポート、他のバス、またはこれらの組み合わせに結合することができる。したがって、制御動作データをフォーマットして、バスに結合された無線ネットワーク装置またはモジュールを有する特定のバスを使用して通信可能なフォーマットにすることができる。例えば、ブロック１６５６において、ネットワーク装置データを、ＵＳＢバスに結合されたＺｉｇｂｅｅ通信モジュールを有するＵＳＢバスを使用して通信するようにフォーマットすることができる。他の形態では、無線ＷＩＦＩ装置等のネットワーク装置をＵＡＲＴバスに結合しアクセスして、制御動作データを出力することができる。ネットワーク装置データを生成すると、方法はブロック１６５８に進むことができ、ネットワーク装置データを通信モジュールに出力することができ、通信モジュールは制御動作データをネットワーク装置に出力することができる。次に、必要または所望に応じて、方法はブロック１６６０に、そしてブロック１６０２に進むことができる。
【手続補正６４】
【補正対象書類名】明細書
【補正対象項目名】０２６７
【補正方法】変更
【補正の内容】
【０２６７】
別の態様によれば、本開示は、設置システムおよび現場にシステムを設置するように構成された方法を含む。例えば、本明細書において説明される図６は、現場６０４に設置されたコントローラ６２６およびサーモスタット６２８を含む。設置は、シリアルナンバー（図６に明示的に示されず）または他の一意の識別子を含むコントローラ６２６を含むことができる。サーモスタット６２８も、シリアルナンバー（図６に明示的に示されず）または他の一意の識別子を含むことができる。ユーザまたはエージェントがコントローラ６２６を設置すると、コントローラ６２６、サーモスタット６２８、またはこれらの任意の組み合わせの識別子をサーバ６０２に通信して、現場６０４を認証し、現場６０４でのエネルギー管理を可能にすることができる。
【手続補正６５】
【補正対象書類名】明細書
【補正対象項目名】０２７０
【補正方法】変更
【補正の内容】
【０２７０】
別の態様によれば、設置は、ＲＦＩＤ、バーコード、ネットワークスキャン、または他の様々なハンドフリー識別プロセスを使用することを含むことができる。例えば、モバイル装置６３２は、コントローラ６２６、ＴＳＴＡＴ６２８、他の様々なネットワーク装置、またはこれらの任意の組み合わせのバーコードラベルを読み取ることを含む設置またはセットアップを含むことができるエネルギー管理アプリケーションを含むことができる。例えば、ユーザは、コントローラ６２６、ＴＳＴＡＴ６２８、またはこれらの任意の組み合わせの一意の識別子を含むことができるバーコードをスキャンすることができる。態様によれば、バーコードラベルを筐体（図６に明示的に示されず）の部分に固定することができる。他の形態では、バーコードにはＴＳＴＡＴ６２８のディスプレイまたは１つもしくは複数のバーコードを表示可能な（例えば、単一のシステム、ネットワーク装置、設置シートもしくはステッカー等で複数を出力する）他のネットワーク装置もしくはシステムのディスプレイ等のディスプレイを使用してアクセスすることができる。ユーザがバーコードラベルをスキャンすると、設置プロセスは、ＷＩＦＩまたは他の無線データネットワーク等のネットワーク接続を使用して、一意のデータを通信し、システムを認証することができる。サーバ６０２等のサーバが、データを認証し、ユーザのアカウントをアクティブ化することができる。態様によれば、ユーザは、現場６０４でのモバイル装置６３２の現在のＧＰＳ位置を使用して、位置を設定することもできる。このようにして、モバイル装置、ホームコントローラ、ネットワーク装置、およびサーバアカウント上のソフトウェアの認証またはアクティブ化を含むことができる設置プロセスを効率的に調整することができ、それにより、設置技師または他の第三者がアカウントをアクティブ化する必要性が低減する。装置、システム、コントローラ、モバイル装置等を関連付ける様々な組み合わせを使用して、ハンドフリーＲＦ、光学スキャン装置、またはこれらの任意の組み合わせを使用してエネルギーネットワークの部分または全てをアクティブ化することができる。さらなる態様によれば、第三者である技師がシステムを設置できるように、設置を変更することができ、ネットワーク装置、コントローラ等に固定し得る１つまたは複数のバーコードをスキャンすることを含むことができる。他の形態では、第三者である技師は、バーコードラベルまたは他の装置をスキャンし、設置に関連付けてラベルを装置、コントローラ、システム等に固定することができる。したがって、在庫管理も、コントローラ、ネットワーク装置、システム等の設置に関連付けて維持することができる。
【手続補正６６】
【補正対象書類名】図面
【補正対象項目名】図３
【補正方法】変更
【補正の内容】
【図３】
2012533727.tif 000001